(57)【特許請求の範囲】
【請求項１】
キャップにクリップが設けられた筆記具であって、前記クリップはキャップから露出して他部材と係合するクリップ本体と、キャップにクリップ自体を固定するための係合片を有し、キャップには溝が設けられ、当該溝にクリップの係合片が挿入されてクリップが固定された筆記具において、クリップの係合片は、その中間部分に前記溝との係合部位の幅よりも広い幅の嵌入部を有し、さらに係合片の先端部には前記溝との係合部位と略同一形状及び略同一幅の保持部が設けられ、クリップは係合片の嵌入部が溝を押圧し、一方係合片の保持部は溝を前記嵌入部よりも弱く押圧するか溝と接し、キャップはキャップ本体と蓋部材により構成され、クリップは、キャップ本体の頂面と蓋部材の間に挿入され、キャップ本体の頂面或いは蓋部材にはクリップの一部を保持する保持部が形成されており、キャップの蓋部材の下面には突起が設けてあり、キャップ本体は外側の筒と内側の筒の二重筒状になっており、内側の筒の頂面には穴が設けられており、穴の内側には蓋部材の突起を押圧する突起または突条が設けられていることを特徴とする筆記具。
【請求項２】
キャップにクリップが設けられた筆記具であって、前記クリップはキャップから露出して他部材と係合するクリップ本体と、キャップにクリップ自体を固定するための係合片を有し、キャップには溝が設けられ、当該溝にクリップの係合片が挿入されてクリップが固定された筆記具において、前記溝は平行部を有し、クリップの係合片は、その中間部分に前記溝の平行部の幅よりも広い幅の嵌入部を有し、さらに係合片の先端部には平行部が設けられており、クリップは係合片の嵌入部が溝を押圧し、一方係合片の前記平行部は溝の平行部を前記嵌入部よりも弱く押圧するか接しており、キャップはキャップ本体と蓋部材により構成され、クリップは、キャップ本体の頂面と蓋部材の間に挿入され、キャップ本体の頂面或いは蓋部材にはクリップの一部を保持する保持部が形成されており、キャップの蓋部材の下面には突起が設けてあり、キャップ本体は外側の筒と内側の筒の二重筒状になっており、内側の筒の頂面には穴が設けられており、穴の内側には蓋部材の突起を押圧する突起または突条が設けられていることを特徴とする筆記具。
【請求項３】
キャップにクリップが設けられた筆記具であって、前記クリップはキャップから露出して他部材と係合するクリップ本体と、キャップにクリップ自体を固定するための係合片を有し、キャップには溝が設けられ、当該溝にクリップの係合片が挿入されてクリップが固定された筆記具において、クリップの係合片の中間部分には前記溝との係合部位の幅よりも広い幅の嵌入部が設けられ、係合片の前記嵌入部が溝を押圧し、係合片の先端部分は両側面が溝と接しており、キャップはキャップ本体と蓋部材により構成され、クリップは、キャップ本体の頂面と蓋部材の間に挿入され、キャップ本体の頂面或いは蓋部材にはクリップの一部を保持する保持部が形成されており、キャップの蓋部材の下面には突起が設けてあり、キャップ本体は外側の筒と内側の筒の二重筒状になっており、内側の筒の頂面には穴が設けられており、穴の内側には蓋部材の突起を押圧する突起または突条が設けられていることを特徴とする筆記具。
【請求項４】
クリップは、キャップに設けられ、キャップはクリップの取付け部位が他の大部分よりも太いことを特徴とする請求項１乃至３のいずれかに記載の筆記具。
【請求項５】
嵌入部の形状は楔形であることを特徴とする請求項１乃至４のいずれかに記載の筆記具。
【発明の詳細な説明】
【０００１】
【発明の属する技術分野】
本発明は、ボールペン、万年筆、フェルトペン、ラインマーカ、シャープペンシル等の筆記具に関するものである。
【０００２】
【従来の技術】
ボールペンやラインマーカ等の筆記具では、筆記具の本体部やキャップにクリップが設けられたものが多い。クリップは、樹脂の射出成形によってキャップ等と一体的に成形される場合もあるが、クリップはキャップ等に比べてより弾性に富むことが大事であることから、キャップ等とクリップを別々に成形し、後工程によって両者を結合する場合も多い。この場合では、キャップ等を樹脂の射出成形によって成形し、また別途プレス加工等によってクリップを成形し、その後、両者を結合させる。
【０００３】
以下、従来技術の代表的な筆記具をクリップ部分の構造を中心に説明する。図９は、従来技術における筆記具の分解斜視図である。図１０（ａ）は、従来技術のクリップの係合片の拡大図であり、（ｂ）は、同係合片がキャップの溝に挿入された状態を示す説明図である。
【０００４】
図９に示す筆記具１００は、ペン先等が設けられた本体部１０１と、キャップ１０２によって構成されている。そしてクリップ１０３は、キャップ１０２に取り付けられている。すなわちキャップ１０２は、キャップの本体部分とクリップ１０３によって構成されている。
順次説明すると、キャップ１０２の本体部分は、図９の様にキャップ本体１０５に蓋部材１０６が取り付けられたものである。
ここで従来技術で使用されていたキャップ本体１０５は、全体形状が円筒形をしている。すなわち従来技術で採用するキャップ本体１０５は、どの部分も均等の太さである。
【０００５】
キャップ本体１０５の内部は、二重筒状になっている。キャップ本体１０５の外側の筒１０９と、内側の筒１０７は、接続部１０８によって繋がれており、内側の筒１０７は、外側の筒１０９内に同心状に保持されている。そして外側の筒１０９と内側の筒１０７の間には長手方向に延びる溝１１０が形成されている。溝１１０の形状は、後記する本発明の実施例と同一の形状であり、図４に示すように開口側が広く、内部は平行となっている。
内側の筒１０７の頂面には、穴１１４が設けられている。
【０００６】
蓋部材１０６は、前記したキャップ本体１０５と同一の太さを持つ蓋であって、下面に突起１１２が設けられている。
【０００７】
クリップ１０３は、鋼材をプレス加工して作られたものであり、クリップ本体１１３と係合片１１５が一体に設けられたものである。
すなわちクリップ本体１１３は、幅の狭い板状であり、先端部分が内側に小さく三角形に折り返されている。当該折り返し部１１６は、クリップ本体１１３をポケット等の他部材に差し込んで係合させたとき、クリップ１０３が容易にポケット等から離脱することを防ぐ趣旨で設けられたものである。
一方、クリップ本体１１３の他端側は「コ」の字状に折り返されている。そしてクリップ本体１１３の他端は、直角に二回折り返され、クリップ本体１１３と平行になっており、その先端部によって係合片１１５が構成されている。従来技術においては、クリップ１０３の係合片１１５は、両側面が鋸歯形状となっている。そしてその最先端部は、図９、図１０（ａ）の様にテーパ形状となっている。
【０００８】
クリップ１０３は、係合片１１５が、前記したキャップ本体１０５の溝１１０に挿入され、さらにキャップ本体１０５の頂面に蓋部材１０６が装着される。そしてクリップ１０３は、前記した係合片１１５が溝１１０と係合し、さらにクリップ１０３は、キャップ本体１０５と蓋部材１０６の間に挟まれて固定される。
【０００９】
ここで、従来技術の筆記具１００におけるクリップ１０３の係合片１１５と溝１１０との関係は、図１０（ｂ）の様である。
すなわち従来技術の筆記具１００では、係合片１１５の鋸歯状をした突端部分１１７が溝の側壁に嵌入する。そして係合片１１５の先端部分では、溝１１０の側壁との間に隙間１２０ができる。
従来技術の筆記具１００では、係合片１１５の先端部分にテーパ部１２１があり、前記した様に係合片１１５の先端は溝１１０の側壁と非接触状態である。
【００１０】
【発明が解決しようとする課題】
従来技術の筆記具１００のクリップ部分の構造は、普遍的に採用されてきた構成であるが、クリップ１０３が横方向にガタつき易いという欠点がある。
すなわち従来技術の筆記具１００は、クリップ１０３の先端側（折り返し部１１６）側を左右に揺すると、クリップ１０３の全体がぐらつき、安定感に欠ける。
この理由は、従来技術の筆記具１００では、鋸歯状をした突端部分１１７が溝１１０の側壁に嵌入し、実質上、当該部位だけが溝１１０と接した構造となっているためである。
そのため従来技術の筆記具１００では、クリップ１０３の折り返し部１１６側を左右に揺すると、鋸歯状をした突端部分１１７が支点となって全体がテコの様に運動し、安定感が欠ける結果となる。
【００１１】
そこで本発明は、従来技術の上記した問題点に注目し、ぐらぐらすることなく、安定感に富むクリップの取付け構造を開発し、クリップがしっかりと固定された筆記具を提供するものである。
【００１２】
【課題を解決するための手段】
請求項１に記載の発明は、キャップにクリップが設けられた筆記具であって、前記クリップはキャップから露出して他部材と係合するクリップ本体と、キャップにクリップ自体を固定するための係合片を有し、キャップには溝が設けられ、当該溝にクリップの係合片が挿入されてクリップが固定された筆記具において、クリップの係合片は、その中間部分に前記溝との係合部位の幅よりも広い幅の嵌入部を有し、さらに係合片の先端部には前記溝との係合部位と略同一形状及び略同一幅の保持部が設けられ、クリップは係合片の嵌入部が溝を押圧し、一方係合片の保持部は溝を前記嵌入部よりも弱く押圧するか溝と接し、キャップはキャップ本体と蓋部材により構成され、クリップは、キャップ本体の頂面と蓋部材の間に挿入され、キャップ本体の頂面或いは蓋部材にはクリップの一部を保持する保持部が形成されており、キャップの蓋部材の下面には突起が設けてあり、キャップ本体は外側の筒と内側の筒の二重筒状になっており、内側の筒の頂面には穴が設けられており、穴の内側には蓋部材の突起を押圧する突起または突条が設けられていることを特徴とする筆記具である。
【００１３】
本発明の筆記具では、クリップは、キャップ本体の頂面と蓋部材の間に挿入され、キャップ本体の頂面或いは蓋部材にはクリップの一部を保持する保持部が形成されている。そのためクリップの根元部分は、より広い面積をもってキャップ本体の頂面と蓋部材の間で挟まれる。またクリップの根元部分は、保持部によっても固定される。したがってクリップは強固に固定され、より安定性が高い。
また、キャップの蓋部材の下面には突起が設けてあり、キャップ本体は外側の筒と内側の筒の二重筒状になっており、内側の筒の頂面には穴が設けられており、穴の内側には蓋部材の突起を押圧する突起または突条が設けられているので、キャップ本体から蓋部材が離脱することを防止できる。
【００１４】
請求項２に記載の発明は、キャップにクリップが設けられた筆記具であって、前記クリップはキャップから露出して他部材と係合するクリップ本体と、キャップにクリップ自体を固定するための係合片を有し、キャップには溝が設けられ、当該溝にクリップの係合片が挿入されてクリップが固定された筆記具において、前記溝は平行部を有し、クリップの係合片は、その中間部分に前記溝の平行部の幅よりも広い幅の嵌入部を有し、さらに係合片の先端部には平行部が設けられており、クリップは係合片の嵌入部が溝を押圧し、一方係合片の前記平行部は溝の平行部を前記嵌入部よりも弱く押圧するか接しており、キャップはキャップ本体と蓋部材により構成され、クリップは、キャップ本体の頂面と蓋部材の間に挿入され、キャップ本体の頂面或いは蓋部材にはクリップの一部を保持する保持部が形成されており、キャップの蓋部材の下面には突起が設けてあり、キャップ本体は外側の筒と内側の筒の二重筒状になっており、内側の筒の頂面には穴が設けられており、穴の内側には蓋部材の突起を押圧する突起または突条が設けられていることを特徴とする筆記具である。
【００１５】
請求項２に記載の筆記具は、請求項１と同様の作用効果を奏する。
【００１６】
請求項３に記載の発明は、キャップにクリップが設けられた筆記具であって、前記クリップはキャップから露出して他部材と係合するクリップ本体と、キャップにクリップ自体を固定するための係合片を有し、キャップには溝が設けられ、当該溝にクリップの係合片が挿入されてクリップが固定された筆記具において、クリップの係合片の中間部分には前記溝との係合部位の幅よりも広い幅の嵌入部が設けられ、係合片の前記嵌入部が溝を押圧し、係合片の先端部分は両側面が溝と接しており、キャップはキャップ本体と蓋部材により構成され、クリップは、キャップ本体の頂面と蓋部材の間に挿入され、キャップ本体の頂面或いは蓋部材にはクリップの一部を保持する保持部が形成されており、キャップの蓋部材の下面には突起が設けてあり、キャップ本体は外側の筒と内側の筒の二重筒状になっており、内側の筒の頂面には穴が設けられており、穴の内側には蓋部材の突起を押圧する突起または突条が設けられていることを特徴とする筆記具である。
【００１７】
請求項３に記載の筆記具は、請求項１，２と同様の作用効果を奏する。
【００１８】
さらに請求項４に記載の筆記具は、クリップは、キャップに設けられ、キャップはクリップの取付け部位が他の大部分よりも太いことを特徴とする請求項１乃至３のいずれかに記載の筆記具である。
【００１９】
本発明の筆記具では、クリップは、キャップに設けられ、キャップはクリップの取付け部位が他の大部分よりも太い。そのため本発明の筆記具では、クリップ本体の根元がしっかりと保持され、より安定性が高い。
【００２０】
さらに請求項５に記載の筆記具は、嵌入部の形状は楔形であることを特徴とする請求項１乃至４のいずれかに記載の筆記具である。
【００２１】
本発明の筆記具では、嵌入部の形状は楔形であるため、クリップが抜けにくい。
【００２２】
【発明の実施の形態】
以下さらに、本発明の実施形態について説明する。
図１は、本発明の第一の実施形態における筆記具の分解斜視図である。図２は、図１の筆記具で採用するクリップを示し、（ａ）はその正面図、（ｂ）はその左側面図、（ｃ）はその右側面図、（ｄ）はその平面図である。図３は、図１の筆記具で採用するキャップ本体と蓋部材の正面図である。図４は、図１のＡ−Ａ断面図であり、溝の形状を示す。図５（ａ）は、図１の筆記具のクリップの係合片の拡大図であり、（ｂ）は、同係合片がキャップの溝に挿入された状態を示す説明図である。図６（ａ）は、本発明の第二の実施形態における筆記具で採用するクリップの係合片の拡大図であり、（ｂ）は、同係合片がキャップの溝に挿入された状態を示す説明図である。図７（ａ）は、本発明の第三の実施形態における筆記具で採用するクリップの係合片の拡大図であり、（ｂ）は、同係合片がキャップの溝に挿入された状態を示す説明図である。図８（ａ）は、本発明の第四の実施形態における筆記具で採用するクリップの係合片の拡大図であり、（ｂ）は、同係合片がキャップの溝に挿入された状態を示す説明図である。
【００２３】
図１において、１は、本実施形態の筆記具を示す。本実施例の筆記具１は、前記した従来技術の筆記具１００と多くの点で共通するものであるが、係合片３１の形状と、キャップ本体５の頂部の形状および蓋部材６の形状が従来技術のそれと異なる。
順次説明すると、本実施形態の筆記具１は、ペン先等が設けられた筆記具の本体部２と、キャップ３によって構成され、キャップ３にクリップ４が設けられている。すなわちキャップ３は、キャップの本体部分とクリップ４によって構成され、さらにキャップ３の本体部分は、筒状のキャップ本体５に蓋部材６が取り付けられて成る。
【００２４】
キャップ本体５の形状は、従来のものと異なり、先端部分が拡径されている。すなわちキャップ本体５は、その大部分が円筒形をしているが、先端の部分だけが１０％〜３０％程度拡径され、当該部分だけが太い。一方、蓋部材６は、キャップ本体５の先端部に合わせて直径が大きい。また蓋部材６には、従来技術と同様に下面に突起２５が設けられている。
キャップ本体５の内部構造は、従来のものと同様であり、二重筒状になっている。そして外側の筒９と、内側の筒７は、接続部８によって繋がれており、内側の筒７は、外側の筒９内に同心状に保持されている。そして外側の筒９と内側の筒７の間には溝１０が形成されている。溝１０は、キャップ本体５の頂面に開口し、キャップ本体５の長手方向に沿って延びる。
溝１０の形状は、図４の通りであり、両側が側壁１２によって囲まれている。そして溝１０の幅は、開放側が広く、内部はやや狭い。そして溝１０の両側の側壁１２は、開放端の近傍部と奥の部位が平行である。そして開放側の平行部１５と奥側の平行部１６の間は、テーパ状の側壁１１によって繋がれている。
【００２５】
またキャップ本体５の頂面であって、溝１０の開口部と連続する部位には、浅い溝２０が形成されている。当該溝２０は、その幅がクリップ４の折り返し部２１の幅に等しく、この溝２０は、クリップ４の保持部として機能する。
【００２６】
内側の筒７の頂面には、従来技術と同様に穴２２が設けられているが、本実施例に特有の構成として、当該穴２２の内面に突起または突条２３が設けられている。この突起等は、蓋部材６の突起２５を押圧して蓋部材６の離脱を防止するために設けられたものである。
【００２７】
クリップ４は、鋼材をプレス加工して作られたものであり、クリップ本体３０と係合片３１が一体となったものである。クリップ本体３０の形状は、従来技術と全く同一であり、幅の狭い板状であってその先端部分に三角形の折り返し部３２が設けられている。
またクリップ本体３０の他端側は「コ」の字状に折り返されている。ここで、クリップ本体３０に対して直角に折り返された折り返し部２１の幅は、前記した様にキャップ本体５の頂面に設けられた保持部（溝）２０の幅に等しい。
そしてクリップ本体３０の他端は、さらに直角に折り返されてクリップ本体３０と平行になっており、その先端部によって係合片３１が構成されている。
【００２８】
係合片３１の形状は、図１，２，５の通りであり、根元部分は、クリップ本体３０と同一の幅であり、先端側の部分は根元部分に比べて細い。根元部分と先端側との境界部分は、直角に切り立っている。
そして先端側の部分は、その両端部が、鋸歯、あるいは波の様な形状をしている。すなわち係合片３１には、中間部の両端の二箇所に突出部（嵌入部）３５，３６が設けられている。突出部３５，３６の外幅は、いずれもその近辺の幅よりも広い。また突出部３５，３６の幅は、前記した溝１０の奥側の平行部１６の幅よりも広い。
【００２９】
突出部３５，３６は、いずれもその根元側（図面上側）が広がり方向のテーパ形状となっている。従って突出部３５，３６自体の形状は先端側が鋭角であり根元側が鈍角であって、楔形をしている。
そして係合片３１の先端側、言い換えると、先端の突出部３６のさらに先は、平行となっている。当該平行部３７の幅は、実質的に溝１０の平行部１６の幅と同一である。
【００３０】
本実施形態においても、クリップ４は、係合片３１がキャップ本体５の溝１０に挿入され、さらにキャップ本体５の頂面に蓋部材６が装着される。そしてクリップ４は、前記した係合片３１が溝１０と係合し、さらにクリップ４は、キャップ本体５と蓋部材６の間に挟まれて固定される。
ここで本実施形態の筆記具１における、クリップ４の係合片３１と溝１０との関係は、図５（ｂ）の様である。
すなわち本実施形態の筆記具１についても、係合片３１の突出部３５，３６は、溝１０の平行部１６の幅よりも広いので、突出部３５，３６は溝１０の側壁１２を強く押圧し、側壁１２に食い込んで嵌入する。
一方、係合片３１の先端部分は、溝１０の係合部位と同一形状たる平行であり、且つ幅についても溝１０のそれに等しい。従って係合片３１の先端部分は、溝１０の側壁１２を突出部３５，３６よりも弱い力で押圧するか、溝１０の側壁１２と接し、或いは側壁１２と近接した位置関係にある。すなわち実質的に、係合片３１の先端部分は、溝１０の側壁１２と接した位置関係にある。
なお、本実施形態の筆記具１では、係合片３１の根元部分と先端側の境界部分が、直角に切り立っているのに対し、キャップ本体側の溝１０では、当該部位がテーパとなっているので、係合片３１の直角に切り立った部位が、溝１０のテーパ状の側壁１１にも食い込む。
【００３１】
係合片３１の折り返し部２１に目を移すと、本実施形態では、キャップ本体５の先端部分が１０％〜３０％程度拡径されており、係合片３１はその拡径部分によって挟まれている。そのため本実施形態では、係合片３１の折り返し部２１は、従来技術に比べて広い面積で挟まれている。さらに係合片３１の折り返し部２１は、キャップ本体５に設けられた溝２０と係合している。そのため本実施形態では、クリップ４の折り返し部２１は、強固に保持されている。
【００３２】
本実施形態の筆記具１について、クリップ４を動かしてみた場合を想定すると、前記した様に係合片３１の根元たる折り返し部２１が大きな面積で挟まれているので、折り返し部２１は強固に固定され、動き難く、係合片３１側にモーメントを伝えにくい。
またクリップ４をテコに見立てたとき、最も大きな力を発現する係合片３１の先端部には平行部３７が設けられており、係合片３１の先端部は実質的に溝１０の側壁１２と接している。そのためクリップ４を左右に動かしても、当該左右の力は折り返し部２１及び先端の平行部３７によって負担される。従って本実施例の筆記具１は、クリップ４がしっかりしていてぐらぐらしない。
【００３３】
以上説明した実施形態では、クリップ４の係合片３１は、先端部分に平行部３７があり、二つの突出部３５，３６の根元側がいずれも広がり方向のテーパ形状となってた例を示した。しかしながら、本発明は、この構成にこだわるものではなく、突出部３５，３６の根元側に設けられたテーパ部を水平に置き換えてもよい。
なお本実施形態で採用する係合片３１は、突出部３６の先端側に平行部３７が設けられており、突出部３６が鈍角的になりがちであるため、従来技術に比べて突出部３６の楔効果が劣る懸念がある。しかしながら本実施形態の筆記具１では、クリップ４の折り返し部２１が大径の蓋部材６によって抜け防止方向に押さえられている。すなわち本実施形態の筆記具１では、大きな面積をもって抜け防止方向に押さえられているので、クリップ４は、抜き方向の力に十分に抗することができる。
【００３４】
図６は、根元側に設けられた突出部３５のさらに根元側を平行にした例を示すものである。また図７は、突出部３５と突出部３６の間に平行部を配した例を示すものである。さらに図８は、すべてのテーパ部を平行部に置き換えた例を示すものである。
【００３５】
また上記した例では、いずれも突出部（嵌入部）を二箇所に設けたが、突出部の個数は任意であり、一か所だけに突出部を設けてもよく、逆に３以上の突出部を設けてもよい。
【００３６】
さらに上記した実施形態では、いずれも係合片３１の先端部に平行部を設けたが、係合片の先端に突出部を設け、係合片の先端を強く壁に押しつける構成としても、同様の効果が発揮される。
【００３７】
【発明の効果】
請求項１〜３に記載の筆記具は、クリップが係合片を持ち、係合片の中間部分が溝を強く押圧してクリップの離脱が防止される。そして本発明の筆記具では、係合片の先端部に溝との係合部位と略同一形状及び略同一幅の保持部が設けられているので、保持部は、溝を嵌入部よりも弱く押圧するか溝と接し、或いは溝と近接する。そのため本発明の筆記具では、クリップ本体のガタつきが少なく、クリップがしっかりしていて安定感がある。
【００３８】
また請求項４に記載の筆記具では、クリップはより広い面積でキャップ本体の頂面と蓋部材の間で挟まれる。したがってクリップは強固に固定され、より安定性が高い効果がある。
【００３９】
さらに請求項５に記載の筆記具は、嵌入部の形状は楔形であるため、クリップが抜け難いという効果がある。
【図面の簡単な説明】
【図１】  本発明の第一の実施形態における筆記具の分解斜視図である。
【図２】  図１の筆記具で採用するクリップを示し、（ａ）はその正面図、（ｂ）はその左側面図、（ｃ）はその右側面図、（ｄ）はその平面図である。
【図３】  図１の筆記具で採用するキャップ本体と蓋部材の正面図である。
【図４】  図１のＡ−Ａ断面図であり、溝の形状を示す。
【図５】  （ａ）は、図１の筆記具のクリップの係合片の拡大図であり、（ｂ）は、同係合片がキャップの溝に挿入された状態を示す説明図である。
【図６】  （ａ）は、本発明の第二の実施形態における筆記具で採用するクリップの係合片の拡大図であり、（ｂ）は、同係合片がキャップの溝に挿入された状態を示す説明図である。
【図７】  （ａ）は、本発明の第三の実施形態における筆記具で採用するクリップの係合片の拡大図であり、（ｂ）は、同係合片がキャップの溝に挿入された状態を示す説明図である。
【図８】  （ａ）は、本発明の第四の実施形態における筆記具で採用するクリップの係合片の拡大図であり、（ｂ）は、同係合片がキャップの溝に挿入された状態を示す説明図である。
【図９】  従来技術における筆記具の分解斜視図である。
【図１０】  （ａ）は、従来技術のクリップの係合片の拡大図であり、（ｂ）は、同係合片がキャップの溝に挿入された状態を示す説明図である。
【符号の説明】
１  筆記具
５  キャップ本体
６  蓋部材
１０  溝
１２  側壁
１６  平行部
２０  溝（保持部）
２５  突起
３０  クリップ本体
３１  係合片
３５，３６  突出部（嵌入部）
３７  平行部
【図１】
0004509245.tif 000002
【図２】
0004509245.tif 000003
【図３】
0004509245.tif 000004
【図４】
0004509245.tif 000005
【図５】
0004509245.tif 000006
【図６】
0004509245.tif 000007
【図７】
0004509245.tif 000008
【図８】
0004509245.tif 000009
【図９】
0004509245.tif 000010
【図１０】
0004509245.tif 000011